(57)【特許請求の範囲】
【請求項１】
弁ケーシングで入口と弁室と出口を形成し、前記弁室と前記出口を連通する導出路を上壁に開けた弁座部材を前記弁室と前記出口の間に設け、壁部材とダイヤフラム部材と両部材の間に封入した膨脹収縮媒体と前記ダイヤフラム部材の前記弁座部材側に取り付けた弁部材とを具備し前記壁部材と前記ダイヤフラム部材と前記弁部材を貫通する連通路を開けた温度制御機素を前記弁室内に配置し、前記膨脹収縮媒体の膨脹収縮による前記ダイヤフラム部材の変位により前記弁部材を駆動して前記弁部材で前記弁座部材の前記上壁の前記導出路を開閉するものにおいて、前記弁部材を中心に前記連通路を開けた逆凹状に形成し、前記弁座部材の前記上壁の前記導出路とは別に前記弁座部材の周囲壁に前記弁室と前記出口を連通する第２導出路を開け、前記膨脹収縮媒体の膨脹収縮による前記ダイヤフラム部材の変位により前記弁部材を駆動して前記弁部材の奥壁で前記弁座部材の前記上壁の前記導出路を開閉すると共に前記弁部材の周囲壁で前記弁座部材の前記周囲壁の前記第２導出路を開閉することを特徴とする熱応動式スチームトラップ。
【発明の詳細な説明】
【技術分野】
【０００１】
本発明は、各種蒸気使用機器や蒸気配管で発生する復水を自動的に排出するスチームトラップに関し、特に、蒸気と復水で加熱冷却されその温度に応じて膨脹収縮する媒体を含む温度制御機素を用いて、設定温度以下の復水を系外へ排出する熱応動式スチームトラップに関する。
【背景技術】
【０００２】
従来の熱応動式スチームトラップは、例えば特許文献１に開示されている。これは、弁ケーシングで入口と弁室と出口を形成し、弁室と出口を連通する導出路を上壁に開けた弁座部材を弁室と出口の間に設け、壁部材とダイヤフラム部材と両部材の間に封入した膨脹収縮媒体とダイヤフラム部材の弁座部材側に取り付けた弁部材とを具備し壁部材とダイヤフラム部材と弁部材を貫通する連通路を開けた温度制御機素を弁室内に配置し、膨脹収縮媒体の膨脹収縮によるダイヤフラム部材の変位により弁部材を駆動して弁部材で弁座部材の上壁の導出路を開閉するものである。
【先行技術文献】
【特許文献】
【０００３】
【特許文献１】特開平９−２６０９２号公報
【発明の概要】
【発明が解決しようとする課題】
【０００４】
上記従来の熱応動式スチームトラップは、弁室内の温度が上昇すると膨脹収縮媒体が膨脹しダイヤフラム部材を介して弁部材が弁座部材の上壁の導出路を閉止することにより蒸気の漏出を防止し、弁室内の温度が低下すると膨脹収縮媒体が収縮し弁部材が弁座部材の上壁の導出路を開口することにより復水を系外へ排出するものである。しかしながら、このような様式の熱応動式スチームトラップにあっては、弁座部材の上壁に開ける導出路の開口面積には限りがあるので、多量の復水を排出するためには時間が掛かる問題点があった。
【０００５】
したがって本発明が解決しようとする課題は、多量の復水を素早く排出できる熱応動式スチームトラップを提供することである。
【課題を解決するための手段】
【０００６】
上記の課題を解決するために、本発明の熱応動式スチームトラップは、弁ケーシングで入口と弁室と出口を形成し、弁室と出口を連通する導出路を上壁に開けた弁座部材を弁室と出口の間に設け、壁部材とダイヤフラム部材と両部材の間に封入した膨脹収縮媒体とダイヤフラム部材の弁座部材側に取り付けた弁部材とを具備し壁部材とダイヤフラム部材と弁部材を貫通する連通路を開けた温度制御機素を弁室内に配置し、膨脹収縮媒体の膨脹収縮によるダイヤフラム部材の変位により弁部材を駆動して弁部材で弁座部材の上壁の導出路を開閉するものにおいて、弁部材を中心に連通路を開けた逆凹状に形成し、弁座部材の上壁の導出路とは別に弁座部材の周囲壁に弁室と出口を連通する第２導出路を開け、膨脹収縮媒体の膨脹収縮によるダイヤフラム部材の変位により弁部材を駆動して弁部材の奥壁で弁座部材の導出路を開閉すると共に弁部材の周囲壁で弁座部材の第２導出路を開閉することを特徴とするものである。
【発明の効果】
【０００７】
本発明によれば、膨脹収縮媒体の膨脹収縮によるダイヤフラム部材の変位により弁部材を駆動して弁部材の奥壁で弁座部材の導出路を開閉すると共に弁部材の周囲壁で弁座部材の第２導出路を開閉するものであるので、復水を導出路及び第２導出路から排出でき、多量の復水を素早く排出できるという効果を奏する。
【図面の簡単な説明】
【０００８】
【図１】本発明の実施の形態に係わる熱応動式スチームトラップの断面図である。
【発明を実施するための形態】
【０００９】
以下、本発明の実施の形態について、図１を参照して説明する。上ケーシング１と下ケーシング２とをねじ結合して、内部に弁室３を有する弁ケーシングを形成する。上ケーシング１には弁室３に連通する入口４を形成し、下ケーシング２には弁室３から連通する出口５を形成する。弁室３と出口５との間の隔壁６に弁座部材７をねじ結合する。弁座部材７の上壁には弁室３と出口５を連通する複数個の導出路８を形成し、周囲壁には弁室３と出口５を連通する複数個の第２導出路１５を形成する。弁座部材７の上方に温度制御機素９を配置する。温度制御機素９は壁部材１０とダイヤフラム部材１１と両部材１０，１１の間に封入した膨脹収縮媒体１２とダイヤフラム部材１１の弁座部材７側に取り付けた逆凹状の弁部材１３とを具備し壁部材１０とダイヤフラム部材１１と弁部材１３を貫通する連通路１４が開けられたものである。連通路１４はダイヤフラム部材１１と弁部材１３を夫々の中央開口を並べて溶接し、また壁部材１０の中央開口の縁とダイヤフラム部材１１の中央開口の縁を溶接することにより形成される。膨脹収縮媒体１２は水、水より沸点の低い液体、或いはそれらの混合物で形成される。弁部材１３は膨脹収縮媒体１２の膨脹収縮によるダイヤフラム部材１１の変位により駆動され奥壁が弁座部材７の上壁の導出路８を開閉すると共に周囲壁が弁座部材７の周囲壁の第２導出路１５を開閉する。
【００１０】
温度制御機素９は壁部材１０と上ケーシング１の間に配置したコイル状のバネ１６によって弁座部材７側に付勢し、温度制御機素９の固着壁部材１７の下面外周を下ケーシング２の内周に形成した複数個のリブ１８の段部に当てて保持する。複数個のリブ１８の間が流体通過用の隙間となる。
【００１１】
上記の熱応動式スチームトラップの動作は次の通りである。通気初めは弁室３内が低温であり、温度制御機素９は膨脹収縮媒体１２が収縮し、ダイヤフラム部材１１が上方に変位し、弁部材１３の奥壁及び周囲壁が弁座部材７の導出路８及び第２導出路１５を開口する。これにより復水が導出路８及び第２導出路１５から出口５へ排出される。弁室３内の温度が上昇すると、温度制御機素９は膨脹収縮媒体１２が膨脹し、ダイヤフラム部材１１が下方に変位し、弁部材１３の奥壁及び周囲壁が弁座部材７の導出路８及び第２導出路１５を閉止する。これにより蒸気の漏出を防止する。
【００１２】
弁室３内の温度が低下すると、温度制御機素９は膨脹収縮媒体１２が収縮し、ダイヤフラム部材１１が上方に変位し、弁部材１３の奥壁及び周囲壁が弁座部材７の導出路８及び第２導出路１５を開口する。これにより復水が導出路８及び第２導出路１５から出口３へ排出される。このように、復水を導出路８及び第２導出路１５から排出するので、多量の復水を素早く排出できる。
【産業上の利用可能性】
【００１３】
本発明は、各種蒸気使用機器や蒸気配管で発生する復水を温度制御機素を用いて自動的に排出する熱応動式スチームトラップに利用することができる。
【符号の説明】
【００１４】
１  上ケーシング
２  下ケーシング
３  弁室
４  入口
５  出口
７  弁座部材
８  導出路
９  温度制御機素
１０  壁部材
１１  ダイヤフラム部材
１２  膨脹収縮媒体
１３  弁部材
１４  連通路
１５  第２導出路
【図１】
0005629527.tif 000002